(57)【要約】【課題】任意保険の適用状況を提示する車両情報提示装置を提供する。【解決手段】車両の運転席に着座しているドライバーの顔画像を撮像装置１により撮像し、前記ドライバーの顔画像と登録されている当該車両の任意保険加入者の顔画像との照合判定を行う。この結果、前記ドライバーと前記任意保険加入者の顔画像とが一致すると、当該車両の運転者は任意保険加入者本人として判定され、不一致のときには、当該車両についての任意保険の内容として“家族限定”、“年齢制限”が付されているか否かについて判定し、 “家族限定”が付されていればグループ化して登録してある家族の顔画像と前記ドライバーの顔画像との照合を行う。“年齢制限”が付されていれば、前記ドライバーの顔画像から年齢を推定し、保険適用対象者となる年齢範囲内に入るか否か判定し、前記ドライバーや同乗者に対し任意保険適用状況を報知し、任意保険加入者本人へ通知する。【選択図】図１
2013152610.tif 000002
【特許請求の範囲】
【請求項１】
車両の運転席に着座したドライバーの顔画像を撮像する撮像装置と、
前記撮像装置により撮像した前記ドライバーの顔画像と、予め登録された前記車両の車両保険の内容である車両保険情報に対応させて予め登録された保険適用対象者の顔画像とを照合し、当該車両について前記ドライバーが前記保険適用対象者の範囲に含まれるか否かを判定する保険適用状況判定手段と、
前記保険適用状況判定手段により判定された当該車両について前記ドライバーの保険適用状況を提示する提示手段と、
を備えたことを特徴とする車両情報提示装置。
【請求項２】
車両の運転席に着座したドライバーの顔画像を撮像する撮像装置と、
前記撮像装置により撮像した前記ドライバーの顔画像から前記ドライバーの年齢を推定する年齢推定手段と、
前記年齢推定手段により推定した前記ドライバーの年齢と、予め登録された前記車両の車両保険の内容である車両保険情報とを照合し、当該車両について前記ドライバーが前記保険適用対象者の範囲に含まれるか否かを判定する保険適用状況判定手段と、
前記保険適用状況判定手段により判定された当該車両について前記ドライバーの保険適用状況を提示する提示手段と、
を備えたことを特徴とする車両情報提示装置。
【請求項３】
車両の運転席に着座したドライバーの顔画像を撮像する撮像装置と、
前記撮像装置により撮像した前記ドライバーの顔画像から前記ドライバーの年齢を推定する年齢推定手段と、
前記撮像装置により撮像した前記ドライバーの顔画像と、予め登録された前記車両の車両保険の内容である車両保険情報に対応させて予め登録された保険適用対象者の顔画像とを照合し、あるいは前記年齢推定手段により推定した前記ドライバーの年齢と前記車両保険情報とを照合し、当該車両について前記ドライバーが前記保険適用対象者の範囲に含まれるか否かを判定する保険適用状況判定手段と、
前記保険適用状況判定手段により判定された当該車両について前記ドライバーの保険適用状況を提示する提示手段と、
を備えたことを特徴とする車両情報提示装置。
【請求項４】
前記車両保険情報は、“本人限定”、“家族限定”である保険適用対象者の範囲についての適用条件を含むことを特徴とする請求項１記載の車両情報提示装置。
【請求項５】
前記車両保険情報は、“年齢制限”である保険適用対象者の範囲についての適用条件を含むことを特徴とする請求項２記載の車両情報提示装置。
【請求項６】
前記車両保険情報は、“本人限定”、“家族限定”、“年齢制限”である保険適用対象者の範囲についての適用条件を含むことを特徴とする請求項３記載の車両情報提示装置。
【請求項７】
前記車両保険情報を予め登録する保険内容登録手段と、
前記保険内容登録手段により登録した前記車両保険情報に対応させて、前記保険適用対象者の顔画像を予め登録する顔画像登録手段と、
を備えたことを特徴とする請求項１または３記載の車両情報提示装置。
【請求項８】
前記保険適用状況判定手段により判定された当該車両について前記ドライバーの保険適用状況を保険加入者本人へ通知する通知手段を備えたことを特徴とする請求項１乃至７に何れか１項記載の車両情報提示装置。
【発明の詳細な説明】
【技術分野】
【０００１】
本発明は、車両保険の適用状況を提示する車両情報提示装置に関する。
【背景技術】
【０００２】
従来、車両保険、特に任意保険については、その任意保険に加入するときのプラン、特に保険適用対象者の範囲については保険に加入するときに保険加入者がそれぞれの事情に応じて決めている。このため任意保険の内容は年齢制限の他、家族限定、本人限定などの保険適用対象者の範囲についての適用条件が設定され、設定された保険適用対象者の範囲に応じて保険料も異なるものとなる。従って年齢制限が付される場合、保険の適用、非適用が当該車両を運転するドライバーの年齢のみにより左右される。また家族限定が付される場合、保険適用対象者の範囲は保険加入者とその家族に限定される。また、本人限定では保険加入者である当人のみが当該車両を運転するドライバーとして保険適用対象者となる。
ところで昨今の運転免許取得者については若年層の減少に伴い、高齢者の運転免許取得者の割合が増加しているが、ドライバーの高齢化に伴う交通事故も増加傾向にある。このような状況に対し車両を運転するドライバーの年齢をその顔画像から推定し、ドライバーが高齢者であることが推定されるときには、適切な運転支援を行うようにした運転支援装置がある。
このような車両用の運転支援装置としては、ドライバーを撮像した画像にもとづいてドライバーの年齢を推定する推定手段と、推定されたドライバーの年齢である推定年齢に応じて、年齢による運転能力の低下を補うようにドライバーの運転支援を行う運転支援手段とを備えたものが提案されている（特許文献１参照）。
【先行技術文献】
【特許文献】
【０００３】
【特許文献１】特開２００９−１５５４８号公報
【発明の概要】
【発明が解決しようとする課題】
【０００４】
したがって、従来の運転支援装置では、ドライバーが高齢者であるときの運転支援は実現できても、交通事故を起こしたときのドライバーに対する任意保険の適用状況についての情報の提供は不可能であり、特に当該車両のドライバーが保険加入者と異なっている状況においては当該車両の保険加入者とドライバーとの関係などの保険適用対象者の範囲について任意保険の適用状況を判定するのは容易でなく、任意保険の適用状況を提示する車両情報提示装置の必要性が増大している課題があった。
【０００５】
本発明は、このような事情に鑑みてなされたものであり、任意保険の適用状況を提示する車両情報提示装置を提供することを目的とする。
【課題を解決するための手段】
【０００６】
請求項１に記載の発明は、車両の運転席に着座したドライバーの顔画像を撮像する撮像装置と、前記撮像装置により撮像した前記ドライバーの顔画像と、予め登録された前記車両の車両保険の内容である車両保険情報に対応させて予め登録された保険適用対象者の顔画像とを照合し、当該車両について前記ドライバーが前記保険適用対象者の範囲に含まれるか否かを判定する保険適用状況判定手段と、前記保険適用状況判定手段により判定された当該車両について前記ドライバーの保険適用状況を提示する提示手段とを備えたことを特徴とする。
【０００７】
請求項２に記載の発明は、車両の運転席に着座したドライバーの顔画像を撮像する撮像装置と、前記撮像装置により撮像した前記ドライバーの顔画像から前記ドライバーの年齢を推定する年齢推定手段と、前記年齢推定手段により推定した前記ドライバーの年齢と、予め登録された前記車両の車両保険の内容である車両保険情報とを照合し、当該車両について前記ドライバーが前記保険適用対象者の範囲に含まれるか否かを判定する保険適用状況判定手段と、前記保険適用状況判定手段により判定された当該車両について前記ドライバーの保険適用状況を提示する提示手段とを備えたことを特徴とする。
【０００８】
請求項３に記載の発明は、車両の運転席に着座したドライバーの顔画像を撮像する撮像装置と、前記撮像装置により撮像した前記ドライバーの顔画像から前記ドライバーの年齢を推定する年齢推定手段と、前記撮像装置により撮像した前記ドライバーの顔画像と、予め登録された前記車両の車両保険の内容である車両保険情報に対応させて予め登録された保険適用対象者の顔画像とを照合し、あるいは前記年齢推定手段により推定した前記ドライバーの年齢と前記車両保険情報とを照合し、当該車両について前記ドライバーが前記保険適用対象者の範囲に含まれるか否かを判定する保険適用状況判定手段と、前記保険適用状況判定手段により判定された当該車両について前記ドライバーの保険適用状況を提示する提示手段とを備えたことを特徴とする。
【発明の効果】
【０００９】
請求項１記載の発明によれば、車両の運転席に着座したドライバーの顔画像を撮像装置により撮像し、前記撮像した前記ドライバーの顔画像と、予め登録された前記車両の車両保険の内容である車両保険情報に対応させて予め登録された保険適用対象者の顔画像とを保険適用状況判定手段により照合し、当該車両について前記ドライバーが前記保険適用対象者の範囲に含まれるか否かを判定し、前記判定された当該車両について前記ドライバーの保険適用状況を提示手段により提示するように構成したので、前記運転席に着座したドライバーの顔画像と前記予め登録された保険適用対象者の顔画像とをもとに判定した任意保険の適用状況を提示する車両情報提示装置を提供できる効果がある。
【００１０】
請求項２記載の発明によれば、車両の運転席に着座したドライバーの顔画像を撮像装置により撮像し、前記撮像した前記ドライバーの顔画像から前記ドライバーの年齢を年齢推定手段により推定し、前記推定した前記ドライバーの年齢と、予め登録された前記車両の車両保険の内容である車両保険情報とを保険適用状況判定手段により照合し、当該車両について前記ドライバーが前記保険適用対象者の範囲に含まれるか否かを判定し、前記判定された当該車両について前記ドライバーの保険適用状況を提示手段により提示するように構成したので、前記推定した前記ドライバーの年齢と前記予め登録された車両保険情報をもとに判定した任意保険の適用状況を提示する車両情報提示装置を提供できる効果がある。
【００１１】
請求項３記載の発明によれば、車両の運転席に着座したドライバーの顔画像を撮像装置により撮像し、前記撮像した前記ドライバーの顔画像から前記ドライバーの年齢を年齢推定手段により推定し、前記撮像装置により撮像した前記ドライバーの顔画像と、予め登録された前記車両の車両保険の内容である車両保険情報に対応させて予め登録された保険適用対象者の顔画像とを照合し、あるいは前記年齢推定手段により推定した前記ドライバーの年齢と前記車両保険情報とを照合し、当該車両について前記ドライバーが前記保険適用対象者の範囲に含まれるか否かを保険適用状況判定手段により判定し、前記保険適用状況判定手段により判定された当該車両について前記ドライバーの保険適用状況を提示手段により提示するように構成したので、任意保険の適用状況を提示する車両情報提示装置を提供できる効果がある。
【００１２】
請求項４記載の発明によれば、車両保険情報が、“本人限定”、“家族限定”である保険適用対象者の範囲についての適用条件を含むように構成したので、“本人限定”、“家族限定”である保険適用対象者の範囲についての適用条件をもとに、当該車両の運転席に着座したドライバーが保険適用対象者の範囲に含まれるか否かを判定し、任意保険の適用状況を提示する車両情報提示装置を提供できる効果がある。
【００１３】
請求項５記載の発明によれば、車両保険情報が、“年齢制限”である保険適用対象者の範囲についての適用条件を含むように構成したので、“年齢制限”である保険適用対象者の範囲についての適用条件をもとに、当該車両の運転席に着座したドライバーが保険適用対象者の範囲に含まれるか否かを判定し、任意保険の適用状況を提示する車両情報提示装置を提供できる効果がある。
【００１４】
請求項６記載の発明によれば、車両保険情報が、“本人限定”、“家族限定” 、“年齢制限”である保険適用対象者の範囲についての適用条件を含むように構成したので、“本人限定”、“家族限定” 、“年齢制限”である保険適用対象者の範囲についての適用条件をもとに、当該車両の運転席に着座したドライバーが保険適用対象者の範囲に含まれるか否かを判定し、任意保険の適用状況を提示する車両情報提示装置を提供できる効果がある。
【００１５】
請求項７記載の発明によれば、保険内容登録手段により車両保険情報を予め登録し、前記車両保険情報に対応させて、保険適用対象者の顔画像を顔画像登録手段により予め登録するように構成したので、当該車両の運転席に着座したドライバーが、前記顔画像登録手段により前記車両保険情報に対応させて予め登録された保険適用対象者の範囲に含まれるか否かを判定し、任意保険の適用状況を提示する車両情報提示装置を提供できる効果がある。
【００１６】
請求項８記載の発明によれば、保険適用状況判定手段により判定された当該車両についてのドライバーの保険適用状況を通知手段が保険加入者本人へ通知するように構成したので、保険適用状況を保険加入者本人へ通知して任意保険の適用状況を提示する車両情報提示装置を提供できる効果がある。
【図面の簡単な説明】
【００１７】
【図１】本発明の実施の形態である車両情報提示装置の構成を示すブロック図である。
【図２】本発明の実施の形態の車両情報提示装置における顔画像登録動作を示すフローチャートである。
【図３】本発明の実施の形態の車両情報提示装置における任意保険内容登録動作を示すフローチャートである。
【図４】本発明の実施の形態の車両情報提示装置における任意保険の適用状況の判定提示動作を示すフローチャートである。
【発明を実施するための形態】
【００１８】
以下、本発明の実施の形態について説明する。図１は、本発明の実施の形態である車両情報提示装置の構成を示すブロック図である。
この車両情報提示装置は、撮像装置１、入力手段２、ＥＣＵ３、通信手段４、アンテナ５、表示部６および音声出力部７を備えている。
撮像装置１は、車両の運転席に設けられているカメラであり、運転席に着座した車両搭乗者の顔画像を撮像する。
入力手段２は、各種操作ボタン、ＧＰＳによる現在位置、地図情報を表示するディスプレイ上のタッチパネル方式の入力部を有し、この車両情報提示装置における顔画像登録、任意保険内容登録を含む任意保険の適用状況の提示のための前記操作ボタン、タッチパネル方式の入力部に対する各種操作を検出する。
ＥＣＵ３は、この車両情報提示装置の動作の中核を成すマイクロコンピュータであり、この車両情報提示装置の各部の制御、入力手段２により検出された各種操作に応じた処理を実行する。また、ＥＣＵ３は、顔画像登録手段３１、任意保険内容登録手段３２および任意保険適用状況判定手段３３を備えている。
顔画像登録手段３１は特徴量抽出手段３１１を備えており、撮像装置１により撮像された車両の運転席に着座した保険適用対象者の顔画像を、後述する任意保険内容登録手段３２により登録される車両保険情報に対応させて予め登録する。
特徴量抽出手段３１１は、撮像装置１により撮像された運転席に着座した車両搭乗者の濃淡値を有する画素から構成されている顔画像からその特徴量を抽出する。この特徴量は、例えば顔の目、鼻、口、耳、眉の形状、目、鼻、口、耳の位置関係、頬のラインなどのコントラストのある部分を含む。
任意保険内容登録手段３２は、車種、車両ナンバー、登録年月日、車検情報などの車両情報と、“年齢制限”、“家族限定”、“本人限定”を含む保険適用対象者の範囲を規定する適用条件などの当該車両について加入している任意保険の内容である車両保険情報を登録する。
任意保険適用状況判定手段３３は、任意保険内容登録手段３２により登録された前記車両の運転席に着座して撮像装置１により撮像されるドライバーの顔画像と、前記車両の車両保険の内容である車両保険情報に対応させて予め登録された保険適用対象者の顔画像とを照合し、あるいは推定された前記ドライバーの年齢と前記車両保険情報とを照合し、前記車両について前記ドライバーが前記保険適用対象者の範囲に含まれるか否かを判定する。
通信手段４は、任意保険適用状況判定手段３３による保険適用対象者の範囲に含まれるか否かの判定結果を広域通信網８を経由して任意保険加入者の携帯端末９へ送信する。
アンテナ５は、前記保険適用対象者に該当するか否かの判定結果を含む各種情報をＥＣＵ３が広域通信網８との間で電波信号として無線通信により送受信する。
表示部６は、前記保険適用対象者に該当するか否かの判定結果を含むこの車両情報提示装置により提示あるいは案内される内容を視覚的に表示出力するものであり、例えばナビゲーション装置のディスプレイ装置を利用することが可能である。
音声出力部７は、前記保険適用対象者に該当するか否かの判定結果を含むこの車両情報提示装置により提示あるいは案内される内容を音声あるいは音により聴覚的に識別可能に出力する。
【００１９】
次に動作について説明する。
この車両情報提示装置では、保険適用対象者はその任意保険が適用される車両の運転席に着座し顔画像を撮像装置１により撮像して顔画像登録手段３１により顔画像を予め登録する。従って、保険適用対象者の範囲についての適用条件が“本人”のみである場合にはその本人が自分の顔画像を顔画像登録手段３１により予め登録する。また本人を含む“家族限定”である場合にはその家族がそれぞれの顔画像を顔画像登録手段３１により予め登録する。
図２は、この車両情報提示装置における顔画像登録動作を示すフローチャートである。以下、このフローチャートに従って顔画像登録動作を説明する。この顔画像登録では、保険適用対象者が車両の運転席に着座し、入力手段２として設けられている顔画像登録用の操作ボタンあるいは入力部を操作して顔画像登録処理をスタートさせる。この顔画像登録用の操作ボタンあるいは入力部が操作されると、ＥＣＵ３は顔画像登録処理へ移行し、顔画像登録手段３１による顔画像の登録を開始する（ステップＳ１）。ＥＣＵ３は続いて撮像装置１により車両の運転席に着座している保険適用対象者の顔画像を撮像する（ステップＳ２）。そして、撮像装置１により撮像された運転席に着座した保険適用対象者の顔画像の特徴量を特徴量抽出手段３１１により抽出し（ステップＳ３）、前記保険適用対象者を前記特徴量により識別可能に登録する（ステップＳ４）。この保険適用対象者の顔画像登録処理は、任意保険加入者が“本人のみ”である場合には、任意保険加入者である本人のみが登録すれば終了するが、保険適用対象者の範囲についての適用条件が“家族限定”である場合には任意保険加入者の家族も顔画像の登録を行う。従って、保険適用対象者の範囲についての適用条件が“家族限定”である場合、ステップＳ１からステップＳ５までの処理を繰り返し、任意保険加入者の妻子などの身内について顔画像を登録する。
【００２０】
次に、この車両情報提示装置では、任意保険の内容についての登録処理へ移行する。
図３は、この実施の形態の車両情報提示装置における任意保険内容登録動作を示すフローチャートである。
この任意保険の内容についての登録処理では、任意保険加入者である“本人限定”、保険適用が任意保険加入者とその家族にまで及ぶ“家族限定”、さらに保険適用が運転者の年齢により規制される“年齢制限”などの保険適用対象者の範囲についての適用条件、保険情報を登録する。
この任意保険内容登録処理では、車両の運転席に着座した車両搭乗者、この場合は保険適用対象者が、入力手段２として設けられている任意保険内容登録用の操作ボタンあるいは入力部を操作して任意保険内容登録処理をスタートさせる。この任意保険内容登録処理用の操作ボタンあるいは入力部が操作されると、ＥＣＵ３は任意保険内容登録処理へ移行し、任意保険内容登録手段３２により加入している任意保険の内容について登録を開始する（ステップＳ１１）。そして、任意保険の内容についての入力を促す例えば入力画面を出力することで、当該車両について加入されている任意保険情報の入力処理を受け付ける任意保険情報入力処理を実行する（ステップＳ１２）。さらに、保険適用対象者の範囲についての適用条件が“本人限定”であるか否かを判定し（ステップＳ１３）、“本人限定”である場合には、ステップＳ１６へ進み任意保険内容登録処理を終了するか否かを判定する。一方、“本人限定”でない場合には任意保険対象の家族を登録するか判定を行う（ステップＳ１４）。この任意保険対象の家族を登録するかの判定は、任意保険対象の家族を登録するか否かの入力を促す画面を表示部６へ出力し、入力手段２において検出された前記画面に対する操作入力から判定する。この結果、前記任意保険対象の家族を登録しない場合にはステップＳ１６へ進み任意保険内容登録処理を終了するか否かを判定する。一方、前記任意保険対象の家族を登録する場合には、前記ステップＳ１２の前記任意保険情報入力処理により入力された保険適用対象者である家族を、図２の前記顔画像登録処理により登録された顔画像と関係付け、任意保険対象家族としてグループ化する（ステップＳ１５）。すなわち任意保険プランが家族限定か否かにかかわらず、任意保険プランが“本人限定”以外では保険適用範囲内の家族の顔画像が登録可能になる。
そして、任意保険内容登録処理の終了操作の検出をもとに任意保険内容登録処理を終了するか否かを判定し（ステップＳ１６）、任意保険内容登録処理の終了操作が行われていれば任意保険内容登録処理を終了する。
一方、保険適用対象者の範囲についての適用条件が任意保険加入者である“本人限定”である場合には、任意保険内容登録処理を終了するか否かを判定し（ステップＳ１５）、任意保険内容登録処理の終了操作が行われていれば任意保険内容登録処理を終了する。
【００２１】
次に、任意保険の適用状況を判定し、当該車両の搭乗者に対し提示する任意保険適用状況判定提示処理について説明する。
図４は、この実施の形態の車両情報提示装置における任意保険の適用状況の判定提示処理を示すフローチャートである。
以下、このフローチャートに従って任意保険の適用状況の判定提示動作を説明する。
前記顔画像登録処理により保険適用対象者の顔画像が登録され、また、任意保険内容登録処理により当該車両についての“本人限定”、“家族限定”、“年齢制限”などの保険適用対象者の範囲についての適用条件を含む任意保険の内容、保険情報が登録されている。
先ず、当該車両を運転するドライバーが車両の運転席に着座し、キー操作によりアクセサリ電源をオンするとこの車両情報提示装置が動作を開始する。そして、前記顔画像登録処理により保険適用対象者の顔画像が登録されており、また、任意保険内容登録処理により当該車両についての任意保険の内容が登録されている旨がアナウンスされ、さらに任意保険の適用状況の判定提示処理を実行する旨がアナウンスされる。
続いて撮像装置１は当該車両の運転席に着座しているドライバーの顔画像を撮像し（ステップＳ２１）、撮像した顔画像の特徴量を抽出する（ステップＳ２２）。撮像装置１により撮像されたドライバーの顔画像は濃淡値を有する画素から構成されているため、この顔画像から、例えば顔の目、鼻、口、耳、眉の形状、目、鼻、口、耳の位置関係などの特定の特徴量を抽出する。
さらに撮像装置１により撮像したドライバーの顔画像と、登録されている当該車両の任意保険加入者の顔画像との照合処理を行い、照合判定を行う（ステップＳ２３）。この照合判定では、前記特徴量について、ステップＳ２２で抽出した運転席に着座しているドライバーの顔画像と登録されている当該車両の任意保険加入者の顔画像との間で類似度を演算し、例えばニューラルネット法などの技術により照合判定を行う。
この結果、運転席に着座しているドライバーの顔画像と登録されている当該車両の任意保険加入者の顔画像とが一致すると判定されると、当該車両の運転者は任意保険加入者である本人として判定される（ステップＳ３５）。一方、ステップＳ２３において不一致と判定されると、当該車両について加入している任意保険の保険適用対象者の範囲についての適用条件が任意保険加入者とその家族に及ぶ“家族限定”であるか否かについて判定する（ステップＳ２４）。この“家族限定”であるか否かについての判定は、図３のフローチャートにより示される任意保険内容登録処理で登録された任意保険の内容の保険適用対象者の範囲についての適用条件から判定する。
ステップＳ２４において“家族限定”であると判定された場合には、さらに前記限定された家族について任意保険の内容に“年齢制限”が付されているか否かについて判定する（ステップＳ２５）。この“年齢制限”が付されているか否かについての判定は、前記任意保険内容登録処理で登録された任意保険の内容の保険適用対象者の範囲についての適用条件から判定する。
この結果、“年齢制限”が付されていないと判定されると、ステップＳ２１で撮像した当該車両の運転席に着座しているドライバーの顔画像と、任意保険加入者の家族としてグループ化されている保険適用対象者の顔画像との照合処理を、前記特徴量をもとに実行する（ステップＳ２６）。
この照合処理の結果、任意保険加入者の家族としてグループ化されている保険適用対象者の顔画像の中に当該車両の運転席に着座しているドライバーの顔画像と一致する顔画像があると判定すると、任意保険適用状況判定手段３３は任意保険適用可の判定を行う（ステップＳ２８）。
一方、前記照合処理の結果、任意保険加入者の家族としてグループ化されている保険適用対象者の顔画像の中に当該車両の運転席に着座しているドライバーの顔画像と一致する顔画像がないと判定されると、ＥＣＵ３は任意保険適用不可として任意保険適用外である旨の表示、注意、警告、提示を視覚的および聴覚的に表示部６、音声出力部７により行い（ステップＳ２７）、当該車両の運転席に着座しているドライバーや同乗者に対し任意保険適用状況を報知する。さらにＥＣＵ３は任意保険加入者へ前記照合処理結果を通知する（ステップＳ２９）。この照合処理結果の通知は、通信手段４により広域通信網８を介して任意保険加入者の携帯端末９へ送信し通知する。
【００２２】
ステップＳ２５で“年齢制限”が付されていると判定されると、登録されている任意保険の内容の“年齢制限”を読み出す（ステップＳ３１）。そして、撮像装置１により撮像した当該車両の運転席に着座しているドライバーの顔画像の特徴量から運転者の年齢を推定する（ステップＳ３２）。この顔画像から年齢を推定する方法としては、例えば「細井  聖ほか、ガボールウェーブレット変換とサポートベクタマシンによる性別、年代推定システム、日本、第８回画像センシングシンポジウム講演論文集、画像センシング技術研究会、２００２年７月、２４３乃至２４６ページ」などに詳細が開示されている手法を用いることが出来る。
このようにして撮像装置１により撮像した当該車両の運転席に着座しているドライバーの年齢が推定されると、その推定年齢が登録されている任意保険の内容の“年齢制限”の範囲内に含まれる任意保険が適用される年齢であるか否かについて判定する（ステップＳ３３）。
この結果、前記ドライバーの推定年齢が、任意保険の適用される年齢の範囲に含まれない場合、ＥＣＵ３は、任意保険適用不可として任意保険適用外である旨の表示、注意、警告、提示を視覚的および聴覚的に表示部６、音声出力部７により行い（ステップＳ３４）、当該車両の運転席に着座しているドライバーや同乗者に対し任意保険適用状況を報知する。そして、さらに任意保険適用不可、任意保険適用外である旨を任意保険加入者へ通知する（ステップＳ３６）。この任意保険適用不可、任意保険適用外である旨の通知は、通信手段４により広域通信網８を介して任意保険加入者の携帯端末９へ送信し通知する。
また、前記ドライバーの推定年齢が、任意保険の適用される年齢の範囲に含まれる場合にはステップＳ２６以下の処理へ進み、ステップＳ２１で撮像した当該車両の運転席に着座しているドライバーの顔画像と、任意保険加入者の家族としてグループ化されている保険適用対象者の顔画像との照合処理を、前記特徴量をもとに実行し、前記照合処理の結果前記グループ化されている保険適用対象者のいづれかの顔画像と一致する場合にはステップＳ２８へと進み、前記グループ化されている保険適用対象者のいづれの顔画像とも一致しない場合にはステップＳ２７へ進む。
【００２３】
また、ステップＳ２４において“家族限定”でないと判定された場合、さらに任意保険の内容に“年齢制限”が付されているか否かについて判定する（ステップＳ３０）。この“年齢制限”が付されているか否かについての判定は、前記任意保険内容登録処理で登録された任意保険の内容の保険適用対象者の範囲についての適用条件から判定する。
この結果、“年齢制限”が付されていると判定されると、ステップＳ４１へ進み、登録されている任意保険の内容の“年齢制限”を読み出す。この“年齢制限”が付されていると判定される場合とは、任意保険についての適用条件として“年齢制限”のみが付されている場合である。
そして、撮像装置１により撮像した当該車両の運転席に着座しているドライバーの顔画像の特徴量から運転者の年齢を推定する（ステップＳ４２）。
このようにして撮像装置１により撮像した当該車両の運転席に着座しているドライバーの年齢が推定されると、その推定年齢が予め登録されている任意保険の内容の“年齢制限”の範囲内に含まれるか否か、つまり前記ドライバーが任意保険の適用される年齢であるかを判定し（ステップＳ４３）、前記ドライバーの推定年齢が、任意保険の適用される年齢の範囲に含まれない場合、ＥＣＵ３は任意保険適用不可として任意保険適用外である旨の表示、注意、警告、提示を視覚的および聴覚的に表示部６、音声出力部７により行い（ステップＳ４４）、当該車両の運転席に着座しているドライバーや同乗者に対し任意保険適用状況を報知する。そして、さらに任意保険適用不可、任意保険適用外である旨を任意保険加入者へ通知する（ステップＳ４７）。この任意保険適用不可、任意保険適用外である旨の通知は、通信手段４により広域通信網８を介して任意保険加入者の携帯端末９へ送信し通知する。
また、前記ドライバーの推定年齢が、任意保険の適用される年齢の範囲に含まれる場合にはステップＳ４５へ進み、任意保険適用状況判定手段３３は任意保険適用可の判定を行う（ステップＳ４５）。
さらにステップＳ２１で撮像した当該車両の運転席に着座しているドライバーの顔画像と、図３のステップＳ１５のグループ化処理により任意保険加入者の家族としてグループ化されている保険適用対象者の顔画像との照合処理を、前記特徴量をもとに実行する（ステップＳ６１）。そして、この照合処理の結果、任意保険加入者の家族としてグループ化されている保険適用対象者の顔画像の中にステップＳ２１で撮像した当該車両の運転席に着座しているドライバーの顔画像と一致するものがあれば、前記任意保険加入者へ前記照合処理結果を通知することなくこの任意保険適用状況判定提示処理を終了する。
一方、前記照合処理の結果、任意保険加入者の家族としてグループ化されている保険適用対象者の顔画像の中にステップＳ２１で撮像した当該車両の運転席に着座しているドライバーの顔画像と一致するものがなければ、前記任意保険加入者へ前記照合処理結果を通知し（ステップＳ４６）、この任意保険適用状況判定提示処理を終了する。この照合処理結果の通知は、通信手段４により広域通信網８を介して任意保険加入者の携帯端末９へ送信し通知する。
すなわち、任意保険プランが“本人限定”以外の場合であって、当該車両の運転席に着座しているドライバーが任意保険適用可能な年齢の任意保険加入者の家族である場合、前記任意保険加入者へ前記照合処理結果の通知は行わない。
ステップＳ３０において“年齢制限”が付されていないと判定される場合、“家族限定”および“年齢制限”が付されていない場合であるが、ステップＳ５１へ進んで免許取得年齢に１８歳基準があることから免許取得年齢の１８歳基準を設定し、ステップＳ４２以降の処理へ進む。ステップＳ４２では前記ドライバーの年齢を推定し、続くステップＳ４３では前記推定された年齢が１８歳を超えているか否かを判定することになる。
【００２４】
以上説明したように、この実施の形態によれば、保険適用対象者が任意保険加入者本人に限定される“本人限定”、保険適用対象者が任意保険加入者本人とその家族に限定される“家族限定”、保険適用対象者が年齢によって限定される“年齢制限”などの任意保険の内容を任意保険内容登録手段３２により予め登録しておく。また、“本人限定”であるときの任意保険加入者本人の顔画像、“家族限定”であるときの前記任意保険加入者の保険適用対象者となり得る家族の顔画像をグループ化して顔画像登録手段３１により予め登録しておく。
当該車両を運転するドライバーが車両の運転席に着座し、キー操作によりアクセサリ電源をオンするとこの車両情報提示装置が動作を開始する。そして、当該車両の運転席に着座しているドライバーの顔画像が撮像装置１により撮像され特徴量が抽出され、前記特徴量をもとに、運転席に着座しているドライバーの顔画像と登録されている当該車両の任意保険加入者の顔画像との間の類似度を演算し、照合判定を行う。この結果、運転席に着座しているドライバーの顔画像と登録されている当該車両の任意保険加入者の顔画像とが一致すると、当該車両の運転者は任意保険加入者本人として判定される。一方、不一致のときには、当該車両についての任意保険の内容として“家族限定”、“年齢制限”が付されているか否かについて判定し、 “家族限定”が付されていれば前記グループ化して登録してある家族の顔画像と前記ドライバーの顔画像との照合を行い一致、不一致を判定する。また、“年齢制限”が付されていれば、前記ドライバーの顔画像から年齢を推定し、保険適用対象者となる年齢範囲内に入るか否か判定する。
そして、任意保険の内容として“家族限定”、“年齢制限”が付されているときであって前記ドライバーが任意保険加入者本人とは異なるときの前記照合結果、前記判定結果に応じて、任意保険適用外である旨の視覚的および聴覚的な表示、注意、警告、提示を表示部６、音声出力部７から出力し、当該車両の運転席に着座しているドライバーや同乗者に対し任意保険適用状況を報知し、また、任意保険加入者へ通知する。
また、任意保険の内容として“本人限定”以外の場合でも、任意保険加入者本人の家族については顔画像の登録が可能であり、保険プランが“本人限定”以外の場合であっても運転席に着座しているドライバーの顔画像と、登録されている当該車両の任意保険加入者の前記家族の顔画像とが一致した場合には、任意保険適用可能な年齢である限り、任意保険加入者への通知は行わない。
従って、この実施の形態によれば、車両の運転席に着座しているドライバーが当該車両の任意保険加入者本人、任意保険適用対象者に該当しない場合、当該車両の運転席に着座しているドライバーや同乗者に対し、当該車両について加入している任意保険が適用可能な状況であるか否かなどの任意保険適用状況を提示することが可能になり、さらに前記任意保険適用状況を任意保険加入者本人へ通知できる車両情報提示装置を提供できる効果がある。
【符号の説明】
【００２５】
１……撮像装置、２……入力手段、３……ＥＣＵ（年齢推定手段、通知手段、提示手段）、４……通信手段（通知手段）、６……表示部（提示手段）、７……音声出力部（提示手段）、３１……顔画像登録手段、３２……任意保険内容登録手段（保険内容登録手段）、３３……任意保険適用状況判定手段（保険適用状況判定手段）。
【図１】
2013152610.tif 000003
【図２】
2013152610.tif 000004
【図３】
2013152610.tif 000005
【図４】
2013152610.tif 000006